(57)【要約】      （修正有）【課題】ＤＣ電気母線の電気線路の導体に沿って流れる同相モード電流によって誘導される雑音に対する高い免疫性を有するアーク故障検出構成を提供する。【解決手段】電気線路Ｌ１、ＬＮの対応する第１の線路導体及び第２の線路導体Ｃ１、Ｃ２の電源部分及び負荷部分と直列に電気接続されるように適合された、１つ又は複数の第１の一次巻線導体及び１つ又は複数の第２の一次巻線導体を備える。第１の一次巻線導体及び第２の一次巻線導体に沿って流れる同相モード電流が、互いに反対方向の磁束を生成する一次巻線手段２１と、第１の一次巻線手段と磁気結合可能であり、アーク故障検出器に前記検出信号ＤＳを提供するためにアーク故障検出器１０と電気接続された少なくとも第１の二次巻線導体ＳＷ１を備える二次巻線手段２２と、を有する電流検知デバイス１を備える。【選択図】図１
2018061419.tif 000002
【特許請求の範囲】
【請求項１】
ＤＣ電気母線（１００）のためのアーク故障検出構成（５０）であって、前記ＤＣ電気母線が、電気装置（５００）の電源セクション（２００）および負荷セクション（３００）を電気接続するように適合された１つまたは複数の電気線路（Ｌ１、Ｌ２、ＬＮ）を有し、前記アーク故障検出構成が、前記電気線路（Ｌ１、Ｌ２、ＬＮ）に沿って流れるＡＣ電流を示す検出信号（ＤＳ）を受け取り、かつ、処理するように適合されたアーク故障検出器（１０）を備え、前記アーク故障検出構成が、電流検知デバイス（１）を備え、前記電流検知デバイス（１）が、
前記電気線路（Ｌ１、Ｌ２、ＬＮ）の対応する第１の線路導体および第２の線路導体（Ｃ１、Ｃ２）の電源部分（Ｃ１Ｓ、Ｃ２Ｓ）および負荷部分（Ｃ１Ｌ、Ｃ２Ｌ）と直列に電気接続されるように適合された、１つまたは複数の第１の一次巻線導体（ＰＷ１１、ＰＷ１２、ＰＷ１Ｎ）および１つまたは複数の第２の一次巻線導体（ＰＷ２１、ＰＷ２２、ＰＷ２Ｎ）を備え、前記第１の一次巻線導体および第２の一次巻線導体（ＰＷ１１、ＰＷ１２、ＰＷ１Ｎ、ＰＷ２１、ＰＷ２２、ＰＷ２Ｎ）に沿って流れる同相モード電流が互いに反対方向の磁束を生成する一次巻線手段（２１）と、
前記第１の一次巻線手段と磁気結合可能である二次巻線手段（２２）であって、前記アーク故障検出器に前記検出信号（ＤＳ）を提供するために前記アーク故障検出器（１０）と電気接続された少なくとも第１の二次巻線導体（ＳＷ１）を備える二次巻線手段（２２）と
を備えることを特徴とするアーク故障検出構成（５０）。
【請求項２】
前記第１の一次巻線導体および第２の一次巻線導体（ＰＷ１１、．．．、ＰＷ１Ｎ、ＰＷ２１、．．．、ＰＷ２Ｎ）が、互いに反対の極性で、対応する第１の線路導体および第２の線路導体（Ｃ１、Ｃ２）の電源部分（Ｃ１Ｓ、Ｃ２Ｓ）および負荷部分（Ｃ１Ｌ、Ｃ２Ｌ）に電気接続されるように適合されることを特徴とする請求項１に記載のアーク故障検出構成。
【請求項３】
前記第１の一次巻線導体（ＰＷ１１、．．．、ＰＷ１Ｎ）が、前記第１の導体（Ｃ１）の電源部分（Ｃ１Ｓ）の対応する電源端子（ＳＴ１）と電気接続されるように適合された正の端子（Ｔ１）、および前記第１の導体Ｃ１の負荷部分（Ｃ１Ｌ）の対応する負荷端子（ＬＴ１）と電気接続されるように適合された負の端子（Ｔ２）を有し、
前記第２の一次巻線導体（ＰＷ２１、．．．、ＰＷ２Ｎ）が、前記第２の導体（Ｃ２）の負荷部分Ｃ２Ｌの対応する負荷端子（ＬＴ２）と電気接続されるように適合された正の端子（Ｔ３）、および前記第２の導体Ｃ２の電源部分（Ｃ２Ｓ）の対応する電源端子（ＳＴ２）と電気接続されるように適合された負の端子（Ｔ４）を有する
ことを特徴とする請求項２に記載のアーク故障検出構成。
【請求項４】
前記第１の一次巻線導体（ＰＷ１１、．．．、ＰＷ１Ｎ）が、前記第１の導体（Ｃ１）の負荷部分（Ｃ１Ｌ）の対応する負荷端子（ＬＴ１）と電気接続されるように適合された正の端子（Ｔ１）、および前記第１の導体（Ｃ１）の電源部分（Ｃ１Ｓ）の対応する電源端子（ＳＴ１）と電気接続されるように適合された負の端子（Ｔ２）を有し、
前記第２の一次巻線導体（ＰＷ２１、．．．、ＰＷ２Ｎ）が、前記第２の導体（Ｃ２）の電源部分（Ｃ２Ｓ）の対応する電源端子（ＳＴ２）と電気接続されるように適合された正の端子（Ｔ３）、および前記第２の導体Ｃ２の負荷部分（Ｃ２Ｌ）の対応する負荷端子（ＬＴ２）と電気接続されるように適合された負の端子（Ｔ４）を有する
ことを特徴とする請求項２に記載のアーク故障検出構成。
【請求項５】
前記二次巻線手段（２２）が、前記アーク故障検出器によって提供される試験電流を受け取るために前記アーク故障検出器（１０）と電気接続された少なくとも第２の二次巻線導体（ＳＷ２）を備えることを特徴とする請求項１から４のいずれか一項または複数の項に記載のアーク故障検出構成。
【請求項６】
前記第１の一次巻線導体（ＰＷ１１、ＰＷ１２、ＰＷ１Ｎ）および／または前記第２の一次巻線導体（ＰＷ２１、ＰＷ２２、ＰＷ２Ｎ）が対応する剛性導電性要素によって形成されることを特徴とする請求項１から５のいずれか一項または複数の項に記載のアーク故障検出構成。
【請求項７】
前記第１の一次巻線導体（ＰＷ１１、ＰＷ１２、ＰＷ１Ｎ）および／または前記第２の一次巻線導体（ＰＷ２１、ＰＷ２２、ＰＷ２Ｎ）が対応する導電性トラックによって形成されることを特徴とする請求項１から５のいずれか一項または複数の項に記載のアーク故障検出構成。
【請求項８】
前記電流検知デバイス（１）が、
磁気回路を形成するコア（２）と、
サポート（６０）に固定することができる、前記コア（２）および前記二次巻線手段（２２）が収納される容積を画定するように適合された外部エンクロージャ（４）と、
前記第１の一次巻線導体を形成する１つまたは複数の第１の導電性ブリッジ（ＰＷ１１、ＰＷ１２）であって、前記サポート（６０）と結合可能であり、また、前記外部エンクロージャの外側に配置される第１の導電性ブリッジと、
前記第２の一次巻線導体を形成する１つまたは複数の第２の導電性ブリッジ（ＰＷ２１、ＰＷ２２）であって、前記サポート（６０）と結合可能であり、また、前記外部エンクロージャの外側に配置される第２の導電性ブリッジと
を備えることを特徴とする請求項６に記載のアーク故障検出構成。
【請求項９】
前記外部エンクロージャ（４）が、前記第１の導電性ブリッジ（ＰＷ１１、ＰＷ１２）と取外し可能に結合されるように適合された第１の保持手段（４６）を備えることを特徴とする請求項８に記載のアーク故障検出構成。
【請求項１０】
前記外部エンクロージャ（４）が、前記第２の導電性ブリッジ（ＰＷ２１、ＰＷ２２）と取外し可能に結合されるように適合された第２の保持手段（４７）を備えることを特徴とする請求項８または９に記載のアーク故障検出構成。
【請求項１１】
前記電流検知デバイス（１）が、
前記第１の一次巻線導体を形成する１つまたは複数の第１の一次導電性トラック（ＰＷ１１）であって、前記サポート（６０）の上に堆積される第１の一次導電性トラック（ＰＷ１１）と、
前記第２の一次巻線導体を形成する１つまたは複数の第２の一次導電性トラック（ＰＷ２１）であって、前記サポート（６０）の上に堆積される第２の一次導電性トラック（ＰＷ２１）と
を備えることを特徴とする請求項７に記載のアーク故障検出構成。
【請求項１２】
前記電流検知デバイス（１）が、１５０以下の相対透磁率を有する磁気回路を備えることを特徴とする請求項１から１１のいずれか一項または複数の項に記載のアーク故障検出構成。
【請求項１３】
光起電性発電装置（５００）であって、
ＤＣ電力を提供するように適合された少なくとも光起電性パネルを備えた電源セクション（２００）と、
ＤＣ電力を受け取り、かつ、ＡＣ電力を提供するように適合された少なくともインバータセクション（３００）を備えた負荷セクション（３００）と、
前記電源セクション（２００）を前記負荷セクション（３００）と電気接続する１つまたは複数の電気線路（Ｌ１、ＬＮ）を有するＤＣ電気母線（１００）と、
前記ＤＣ電気母線に動作可能に関連付けられた、請求項１から１２のいずれか一項または複数の項に記載のアーク故障検出構成（５０）と
を備える光起電性発電装置（５００）。
【請求項１４】
ＤＣ電気母線（１００）のためのアーク故障検出構成（５０）のための電流検知デバイス（１）であって、前記ＤＣ電気母線が、電気装置（５００）の電源セクション（２００）および負荷セクション（３００）を電気接続するように適合された１つまたは複数の電気線路（Ｌ１、Ｌ２、ＬＮ）を有し、
前記電気線路（Ｌ１、Ｌ２、ＬＮ）の対応する第１の線路導体および第２の線路導体（Ｃ１、Ｃ２）の電源部分（Ｃ１Ｓ、Ｃ２Ｓ）および負荷部分（Ｃ１Ｌ、Ｃ２Ｌ）と直列に電気接続されるように適合された、１つまたは複数の第１の一次巻線導体（ＰＷ１１、ＰＷ１２、ＰＷ１Ｎ）および１つまたは複数の第２の一次巻線導体（ＰＷ２１、ＰＷ２２、ＰＷ２Ｎ）を備え、前記第１の一次巻線導体および第２の一次巻線導体（ＰＷ１１、ＰＷ１２、ＰＷ１Ｎ、ＰＷ２１、ＰＷ２２、ＰＷ２Ｎ）に沿って流れる同相モード電流が互いに反対方向の磁束を生成する一次巻線手段（２１）と、
前記第１の一次巻線手段と磁気結合可能である二次巻線手段（２２）であって、前記アーク故障検出器（１０）と電気接続されるように適合された、前記電気線路（Ｌ１、Ｌ２、ＬＮ）に沿って流れるＡＣ電流を示す検出信号（ＤＳ）を前記アーク故障検出器に提供するための少なくとも第１の二次巻線導体（ＳＷ１）を備えた二次巻線手段（２２）と
を備えることを特徴とする電流検知デバイス（１）。
【発明の詳細な説明】
【技術分野】
【０００１】
本発明は、ＤＣ電気母線のためのアーク故障検出構成に関する。
【背景技術】
【０００２】
ＤＣ電気母線は、例えば光起電性発電システムなどの多くのタイプの電気装置に広く採用されている。
【０００３】
知られているように、アーク故障検出システムは、典型的にはＤＣ電気母線内におけるアーク故障を検出するために提供される。
【０００４】
事実、アーク故障の発生は、電気装置の動作寿命に重大な影響を及ぼすことがあり得る。
【０００５】
一例として、光起電性発電システムに生じるアーク故障（例えばＤＣ電気母線内の緩んだ接続による）は、光起電性パネルが設置される構造（例えば建物の屋根の上）に火災事象をもたらすことがあり、また、オペレータまたは住人の安全にとって極めて危険であり得る。
【０００６】
従来のアーク故障検出システムの欠点は、それらが、線路雑音、具体的にはＤＣ電気母線の電気線路に沿って流れる同相モード電流によって誘導される雑音に対してしばしば敏感であることにある。このような雑音敏感性は、可能なアーク故障事象の検出に誤りをもたらし、延いては電気母線の望ましくないトリッピングをもたらすことになる。
【０００７】
さらに他の欠点は、アーク故障検出システムが比較的複雑な構造を有しており、それらが設置される電気装置の他の部品または構成要素との構造的統合がしばしば困難であり、したがって総占有容積が大きくなり、また、設置コストが高くなることにある。
【０００８】
最後に、これらの構成は、産業レベルでの製造がしばしば高価である。
【発明の概要】
【発明が解決しようとする課題】
【０００９】
本発明の主な目標は、上で説明した欠点の克服を可能にする、ＤＣ電気母線のためのアーク故障検出構成を提供することである。
【００１０】
この目標の範囲内における本発明の別の目的は、ＤＣ電気母線の電気線路の導体に沿って流れる同相モード電流によって誘導される雑音に対する高い免疫性を有するアーク故障検出構成を提供することである。
【００１１】
本発明の別の目的は、現場に容易に設置することができ、また、設計に際して、電気装置の他の部品または構成要素と容易に統合することができる、とりわけ単純な構造を有するアーク故障検出構成を提供することである。
【００１２】
本発明のさらに別の目的は、産業レベルにおける製造が容易で、かつ、安価であり、また、現場への設置に必要な時間が短いアーク故障検出構成を提供することである。
【課題を解決するための手段】
【００１３】
この目標、および以下の説明から、また、添付の図面からより明らかになるであろう他の目的と相俟ったこれらの目的は、本発明によれば、請求項１および関連する従属請求項によるアーク故障検出構成によって達成される。
【００１４】
さらに他の態様では、本発明は、後続する請求項１３による光起電性発電装置に関している。
【００１５】
さらに他の態様では、本発明は、後続する請求項１４による電流検知デバイスに関している。
【００１６】
本発明の特徴および利点は、以下でなされる説明、および単に非制限の説明目的のために提供される添付の図を参照することによってより明らかになるであろう。
【図面の簡単な説明】
【００１７】
【図１】本発明によるアーク故障検出構成の１つの実施形態を示す略図である。
【図２】本発明によるアーク故障検出構成の１つの実施形態を示す略図である。
【図３】本発明によるアーク故障検出構成の１つの実施形態を示す略図である。
【図４】本発明によるアーク故障検出構成のさらに他の実施形態を示す略図である。
【図５】本発明によるアーク故障検出構成のさらに他の実施形態を示す略図である。
【図６】本発明によるアーク故障検出構成のさらに他の実施形態を示す略図である。
【図７】本発明によるアーク故障検出構成のさらに他の実施形態を示す略図である。
【図８】本発明によるアーク故障検出構成のさらに他の実施形態を示す略図である。
【図９】本発明によるアーク故障検出構成のさらに他の実施形態を示す略図である。
【図１０】本発明によるアーク故障検出構成のさらに他の実施形態を示す略図である。
【発明を実施するための形態】
【００１８】
上記図を参照すると、本発明は、低電圧電気装置５００のＤＣ電気母線１００のためのアーク故障検出構成５０に関している。
【００１９】
分りやすくするために、「低電圧」という用語は、１ｋＶ  ＡＣおよび１．５ｋＶ  ＤＣ未満の動作電圧を意味することが規定されている。
【００２０】
原理的には、電気装置５００は、必要に応じて任意のタイプの電気装置であってもよい。一例として電気装置５００は、低電圧スイッチギヤーまたは配電格子であってもよい。
【００２１】
しかしながらアーク故障検出構成５０は、光起電性発電装置内への設置にとりわけ適しており、また、アーク故障検出構成５０は、本発明の範囲を制限することを意図することなく、とりわけこのアプリケーションを参照して説明される。
【００２２】
電気母線１００は、電気装置５００の電源セクション２００および負荷セクション３００を電気接続する１本または複数のＤＣ電気線路Ｌ１、．．．、ＬＮ（Ｎ＞＝１）を有している。
【００２３】
一例として、電気装置５００が光起電性発電装置５００である場合、電源セクション２００は、１つまたは複数の光起電性パネルを含むセクションであってもよく、また、ＤＣ電力を提供するように適合することができ、一方、負荷セクション３００は、ＤＣ電力を受け取り、かつ、ＡＣ電力を提供するように適合されたインバータを含むセクションであってもよい。
【００２４】
電源セクション２００から負荷セクション３００への電流の流れを許容するために、電気母線１００の個々の電気線路Ｌ１、．．．、ＬＮは、少なくとも第１の導体Ｃ１（例えばそれぞれの電気線路の供給導体を形成する）および第２の導体Ｃ２（例えばそれぞれの電気線路の戻り導体を形成する）を備えている。
【００２５】
個々の電気線路Ｌ１、．．．、ＬＮの第１の導体Ｃ１は、電源セクション２００と電気接続され、また、第１の電源端子ＳＴ１を有する第１の電源部分Ｃ１Ｓ、および負荷セクション３００と電気接続され、また、第１の負荷端子ＬＴ１を有する第１の負荷部分Ｃ１Ｌを有している。
【００２６】
個々の電気線路Ｌ１、．．．、ＬＮの第２の導体Ｃ２は、電源セクション２００と電気接続され、また、第２の電源端子ＳＴ２を有する第２の電源部分Ｃ２Ｓ、および負荷セクション３００と電気接続され、また、第２の負荷端子ＬＴ２を有する第２の負荷部分Ｃ２Ｌを有している。
【００２７】
個々の電気線路Ｌ１、．．．、ＬＮの個々の導体Ｃ１、Ｃ２の電源部分Ｃ１Ｓ、Ｃ２Ｓおよび負荷部分Ｃ１Ｌ、Ｃ２Ｌは、装置５００の電源セクション２００と負荷セクション３００の間の電気連続性を保証するように電気接続されている。
【００２８】
装置５００は、電気線路Ｌ１、．．．、ＬＮの導体と動作可能に関連付けられた、これらの電気線路Ｌ１、．．．、ＬＮに選択的に割り込むための適切なスイッチングデバイス（図示せず）を備えることができる。
【００２９】
電気母線１００の通常動作では、ＤＣ電流（負荷電流）は、電気線路Ｌ１、．．．、ＬＮの導体に沿って流れる。
【００３０】
しかしながらＡＣ雑音電流も電気線路Ｌ１、．．．、ＬＮの導体に沿って流れ得る（前記負荷電流と重畳される）。一般に明瞭なスペクトル成分を有するこのような雑音電流は、通常、電気装置５００の電源セクション２００および負荷セクション３００に含まれている電気構成要素または電子構成要素によって生成される。
【００３１】
アーク故障が発生すると、ＡＣアーク電流が電気線路Ｌ１、．．．、ＬＮの導体に沿って流れる（前記負荷電流および前記雑音電流と重畳される）。一般に広帯域スペクトル成分（ピンク雑音）を有するこのようなアーク電流は、通常、アーク故障中に形成されるアークプラズマの攪乱によって生成され、また、発生するアーク現象とリンクした他の要因によって生成される。
【００３２】
当然、電気線路Ｌ１、．．．、ＬＮの導体に沿って流れる電流（ＤＣまたはＡＣ）は、同相モードタイプまたは差動モードタイプの電流であってもよい。
【００３３】
本発明のアーク故障検出構成５０は、電気線路Ｌ１、．．．、ＬＮの導体に沿って流れるＡＣ電流の検出、および前記電流がアーク故障の発生を示すアーク電流を含んでいるかどうかの決定を対象としている。
【００３４】
電気線路Ｌ１、．．．、ＬＮの導体に沿って流れる唯一の差動モードＡＣ電流は、アーク故障検出目的のために検知される有用な物理量を表すことは立証されている。それに対して同相モードＡＣ電流は（どのタイプであれ）、除去されるか、または著しく低減されるべき信号攪乱を表す。
【００３５】
本発明によれば、アーク故障検出構成５０は、前記電気線路内におけるアーク故障の発生を検出するために、電気線路Ｌ１、．．．、ＬＮに沿って流れるＡＣ電流（例えば雑音電流および場合によってはＤＣ負荷電流に重畳されるアーク電流）を示す検出信号ＤＳを受け取り、かつ、処理するように適合されたアーク故障検出器１０を備えている。
【００３６】
好ましくは、アーク故障検出器１０は、電気線路Ｌ１、．．．、ＬＮに沿って流れるＡＣ電流を示す検出信号ＤＳを処理し、かつ、それらのスペクトル成分の最初のものに対してこれらの電気線路Ｌ１、．．．、ＬＮを選択的に識別することにより、あり得るアーク電流（したがってこれらのアーク電流は、次に起こる、あるいは発生するアーク故障を示す）の存在を決定するように適合される。
【００３７】
好ましくは、アーク故障検出器１０は、電気母線１０の電気線路Ｌ１、．．．、ＬＮ内におけるアーク故障の存在を示す制御信号ＣＳを提供する。制御信号ＣＳは、他の制御デバイスに送ることができ、および／または電気線路Ｌ１、．．．、ＬＮに割り込むように適合されたスイッチングデバイスに直接送ることができる。
【００３８】
アーク故障検出器１０は知られているタイプのデバイスであってもよく、また、簡潔にするためにさらに説明はされない。
【００３９】
本発明によれば、アーク故障検出構成５０は、電気線路Ｌ１、．．．、ＬＮに沿って流れるＡＣ電流を検出し、かつ、アーク故障検出器１０に検出信号ＤＳを提供するように適合された電流検知デバイス１を備えている。
【００４０】
一般に、電流検知デバイス１は、電気線路Ｌ１、．．．、ＬＮとつながれる単一の磁気回路を有する電流滴定変圧器（磁気コイルとして、またはＲｏｇｏｗｓｋｉコイルとして構成される）として構成される。
【００４１】
磁気回路２は、磁気材料の１つまたは複数の整形片（磁気コア）によって形成することができる。
【００４２】
このような磁気材料片は、磁気回路２に沿った１つまたは複数のエアギャップを形成するように配置することができ、または、比較的小さい透磁率を有する磁気材料によって形成することができる。
【００４３】
別法としては、磁気回路２は、非磁気材料の１つまたは複数の整形片によって形成することも可能である（非磁気コアを有するＲｏｇｏｗｓｋｉコイル）。
【００４４】
このような非磁気材料片は、磁気回路２に沿った１つまたは複数のエアギャップを形成するように配置することができる。
【００４５】
さらに別法として、磁気回路２は、空中で完全に実現される磁束経路であってもよい（空中のＲｏｇｏｗｓｋｉコイル）。
【００４６】
好ましくは、磁気回路２は１５０以下の相対透磁率を有している。
【００４７】
この解決法によれば、電気線路Ｌ１、．．．、ＬＮの導体に沿って流れる比較的大きいＤＣ電流に起因する磁気回路の飽和現象の発生を回避するか、または低減することができる。
【００４８】
好ましくは、磁気回路２は、環状構造を有するコアによって形成されている。
【００４９】
検知デバイス１は、磁気回路２と動作可能に関連付けられた一次巻線手段２１を備えている。
【００５０】
一次巻線手段２１は、磁気回路２とつながれる、１つまたは複数の第１の一次巻線導体ＰＷ１１、．．．、ＰＷ１Ｎ、および１つまたは複数の第２の一次巻線導体ＰＷ２１、．．．、ＰＷ２Ｎを備えている。
【００５１】
個々の第１の一次巻線導体ＰＷ１１、．．．、ＰＷ１Ｎは、対応する電気線路Ｌ１、．．．、ＬＮのそれぞれの第１の線路導体Ｃ１の電源部分Ｃ１Ｓおよび負荷部分Ｃ１Ｌと直列に電気接続されるように適合されている。
【００５２】
個々の第２の一次巻線導体ＰＷ２１、．．．、ＰＷ２Ｎは、対応する電気線路Ｌ１、．．．、ＬＮのそれぞれの第２の線路導体Ｃ２の電源部分Ｃ２Ｓおよび負荷部分Ｃ２Ｌと直列に電気接続されるように適合されている。
【００５３】
実際には、電流検知デバイスが設置されると、個々の第１の一次巻線導体ＰＷ１１、．．．、ＰＷ１Ｎは、対応する電気線路Ｌ１、．．．、ＬＮのそれぞれの第１の線路導体Ｃ１の電源部分および負荷部分Ｃ１Ｓ、Ｃ１Ｌの端子ＳＴ１、ＬＴ１と電気接続された正および負（第１の一次巻線導体ＰＷ１１、．．．、ＰＷ１Ｎに印加される電圧によって）の端子Ｔ１、Ｔ２を有し、一方、個々の第２の一次巻線導体ＰＷ２１、．．．、ＰＷ２Ｎは、対応する電気線路Ｌ１、．．．、ＬＮのそれぞれの第２の線路導体Ｃ２の電源部分および負荷部分Ｃ２Ｓ、Ｃ２Ｌの端子ＳＴ２、ＬＴ２と電気接続された正および負（第２の一次巻線導体ＰＷ２１、．．．、ＰＷ２Ｎに印加される電圧によって）の端子Ｔ３、Ｔ４を有する。
【００５４】
このようにして、単一の磁気回路２が電気線路Ｌ１、．．．、ＬＮで（より正確には少なくともこれらの電気線路Ｌ１、．．．、ＬＮの第１の導体および第２の導体Ｃ１、Ｃ２で）つながれる。
【００５５】
電気線路Ｌ１、．．．、ＬＮの第１の線路導体および第２の線路導体Ｃ１、Ｃ２に沿って流れるＡＣ電流は、第１の一次巻線導体および第２の一次巻線導体ＰＷ１１、．．．、ＰＷ１Ｎ、ＰＷ２１、．．．、ＰＷ２Ｎに沿って循環し、磁気回路２に沿って循環する磁束を生成する。
【００５６】
本発明のいくつかの実施形態によれば、第１の一次巻線導体および／または第２の一次巻線導体ＰＷ１１、．．．、ＰＷ１Ｎ、ＰＷ２１、．．．、ＰＷ２Ｎは、サポート上に配置された、対応する剛性導電性要素によって形成される。
【００５７】
本発明のいくつかの実施形態によれば、第１の一次巻線導体および／または第２の一次巻線導体ＰＷ１１、．．．、ＰＷ１Ｎ、ＰＷ２１、．．．、ＰＷ２Ｎは、サポート上に配置された、対応する導電性トラックによって形成される。
【００５８】
検知デバイス１は、磁気回路２を介して一次巻線手段２１と磁気結合可能である二次巻線手段２２を備えている。
【００５９】
二次巻線手段２２は、少なくとも第１の二次巻線導体ＳＷ１を備えている。磁束が前記磁気回路に沿って循環すると、二次電流が第１の二次巻線導体ＳＷ１に沿って流れる。このような二次電流は、このような磁束によって生成されたＡＣ電流を示す。
【００６０】
好ましくは、第１の二次巻線導体ＳＷ１は、アーク故障検出器１０と電気接続されている（その端子Ｓ１、Ｓ２で）。
【００６１】
このようにして、第１の二次巻線導体ＳＷ１に沿って流れる上記二次電流は、アーク故障検出器１０に提供される検出信号ＤＳを表す。
【００６２】
しかしながら本発明のいくつかの実施形態（図示せず）では、二次巻線手段２２は、第１の二次巻線導体ＳＷ１の端子Ｓ１、Ｓ２とアーク故障検出器１０の間に電気接続されたインタフェース回路を備えることができる。このようなインタフェース回路は、第１の二次巻線導体ＳＷ１に沿って循環する二次電流を受け取り、かつ、アーク故障検出器１０に検出信号ＤＳを提供するように構成することができる。この場合、このような検出信号ＤＳは電圧信号であってもよい。
【００６３】
本発明のいくつかの実施形態では、二次巻線手段２２は、磁気回路２とつながれた少なくとも第２の二次巻線導体ＳＷ２を備えている（図２、３）。
【００６４】
第２の二次巻線導体ＳＷ２は、アーク故障検出器１０から試験電流を受け取るためにアーク故障検出器１０と電気接続されている（その端子Ｓ２、Ｓ３で）。
【００６５】
このような試験電流は、第２の二次巻線導体ＳＷ２に沿って循環すると、磁気回路２に沿って循環する磁束を生成する。
【００６６】
前記磁束は第１の二次巻線導体ＳＷ１とつながれることになるため、既知の大きさの二次電流がこの第１の二次巻線導体ＳＷ１に沿って流れることが期待される。
【００６７】
したがって、容易に理解されるように、電流検知デバイス１の動作およびアーク故障検出器１０の動作をチェックするための自己試験セッションを容易に実施することができる。
【００６８】
本発明のいくつかの実施形態によれば、第１の二次巻線導体および／または第２の二次巻線導体ＳＷ１、ＳＷ２は、サポート上に配置された対応する剛性導電性要素によって形成される。
【００６９】
引用されている図に示されている実施形態では、第２の二次巻線導体ＳＷ２は、第１の二次巻線導体ＳＷ１と共通の端子（Ｓ２）を有している。
【００７０】
この解決法は、二次手段２２の構成、およびアーク故障検出器１０とのこれらの二次手段２２の接続を容易にする。
【００７１】
本発明によれば、第１の一次巻線導体および第２の一次巻線導体ＰＷ１１、．．．、ＰＷ１Ｎ、ＰＷ２１、．．．、ＰＷ２Ｎは、第１の一次巻線導体および第２の一次巻線導体ＰＷ１１、．．．、ＰＷ１Ｎ、ＰＷ２１、．．．、ＰＷ２Ｎに沿って流れる同相モード電流が互いに反対方向の磁束を生成するように、電気線路Ｌ１、．．．、ＬＮの対応する第１の線路導体および第２の線路導体Ｃ１、Ｃ２の電源部分Ｃ１Ｓ、Ｃ２Ｓおよび負荷部分Ｃ１Ｌ、Ｃ２Ｌと直列に電気接続されるように適合されている。
【００７２】
換言すれば、電流検知デバイスが設置されると、第１の一次巻線導体および第２の一次巻線導体ＰＷ１１、．．．、ＰＷ１Ｎ、ＰＷ２１、．．．、ＰＷ２Ｎは、互いに反対の極性で、対応する第１の線路導体および第２の線路導体Ｃ１、Ｃ２の電源部分Ｃ１Ｓ、Ｃ２Ｓおよび負荷部分Ｃ１Ｌ、Ｃ２Ｌに電気接続される。
【００７３】
可能な接続構成によれば（図１〜２）、
−  第１の一次巻線導体ＰＷ１１、．．．、ＰＷ１Ｎは、第１の導体Ｃ１の電源部分Ｃ１Ｓの対応する電源端子ＳＴ１と電気接続された正の端子Ｔ１、および第１の導体Ｃ１の負荷部分Ｃ１Ｌの対応する負荷端子ＬＴ１と電気接続された負の端子Ｔ２を有し、
−  第２の一次巻線導体ＰＷ２１、．．．、ＰＷ２Ｎは、第２の導体Ｃ２の負荷部分Ｃ２Ｌの対応する負荷端子ＬＴ２と電気接続された正の端子Ｔ３、および第２の導体Ｃ２の電源部分Ｃ２Ｓの対応する電源端子ＳＴ２と電気接続された負の端子Ｔ４を有する。
【００７４】
可能な代替接続構成（図３）によれば、
−  第１の一次巻線導体ＰＷ１１、．．．、ＰＷ１Ｎは、第１の導体Ｃ１の負荷部分Ｃ１Ｌの対応する負荷端子ＬＴ１と電気接続された正の端子Ｔ１、および第１の導体Ｃ１の電源部分Ｃ１Ｓの対応する電源端子ＳＴ１と電気接続された負の端子Ｔ２を有し、
−  第２の一次巻線導体ＰＷ２１、．．．、ＰＷ２Ｎは、第２の導体Ｃ２の電源部分Ｃ２Ｓの対応する電源端子ＳＴ２と電気接続された正の端子Ｔ３、および第２の導体Ｃ２の負荷部分Ｃ２Ｌの対応する負荷端子ＬＴ２と電気接続された負の端子Ｔ４を有する。
【００７５】
本発明によって提供される技術的解決法によれば、電気線路Ｌ１、．．．、ＬＮの導体に沿って流れる同相モードＡＣ電流によって誘導される、検出信号ＤＳに対する攪乱を相殺するか、あるいは著しく小さくすることができる。
【００７６】
事実、これらの電流によって電気線路毎に生成される磁束は、前記電気線路のそれぞれの導体に関連して、一次巻線導体ＰＷ１１、．．．、ＰＷ１Ｎ、ＰＷ２１、．．．、ＰＷ２Ｎに対して提供される物理的レイアウト（例えば上で説明した接続構成による）のおかげで互いに補償される。
【００７７】
電流検知デバイス１によって提供される検出信号ＤＳは、したがって電気線路Ｌ１、．．．、ＬＮの導体に沿って流れる唯一の差動モードＡＣ電流を示すことになり、この差動モードＡＣ電流は、上で述べたようにアーク故障検出の目的で検知される有用な物理量を表す。
【００７８】
図１には、アーク故障検出構成５０の可能実施形態が示されている。
【００７９】
アーク故障検出構成５０は、単一の磁気回路２を有する電流検知デバイス１を備えている。
【００８０】
電流検知デバイス１は、第１の導体Ｃ１の電源部分および負荷部分Ｃ１Ｓ、Ｃ１Ｌと直列に電気接続された複数の第１の一次導体ＰＷ１１、．．．、ＰＷ１Ｎ、および第２の導体Ｃ２の電源部分および負荷部分Ｃ２Ｓ、Ｃ２Ｌと直列に電気接続された複数の第２の一次導体ＰＷ２１、．．．、ＰＷ２Ｎを含む一次巻線手段２１を有している。
【００８１】
したがって単一の磁気回路は、電気線路Ｌ１、．．．、ＬＮの第１の導体および第２の導体Ｃ１、Ｃ２の両方とつながれている。
【００８２】
第１の一次巻線導体および第２の一次巻線導体ＰＷ１１、．．．、ＰＷ１Ｎ、ＰＷ２１、．．．、ＰＷ２Ｎは、互いに反対の極性で、対応する第１の線路導体および第２の線路導体Ｃ１、Ｃ２の電源部分Ｃ１Ｓ、Ｃ２Ｓおよび負荷部分Ｃ１Ｌ、Ｃ２Ｌに電気接続される。
【００８３】
電流検知デバイス１は、アーク故障検出器１０と電気接続される（その端子Ｓ１、Ｓ２で）唯一の第１の二次巻線導体ＳＷ１を含む二次巻線手段２２を有している。
【００８４】
図２には、アーク故障検出構成５０のさらに他の可能実施形態が示されている。
【００８５】
アーク故障検出構成５０は、単一の磁気回路２を有する電流検知デバイス１を備えている。
【００８６】
電流検知デバイス１は、第１の導体Ｃ１の電源部分および負荷部分Ｃ１Ｓ、Ｃ１Ｌと直列に電気接続された複数の第１の一次導体ＰＷ１１、．．．、ＰＷ１Ｎ、および第２の導体Ｃ２の電源部分および負荷部分Ｃ２Ｓ、Ｃ２Ｌと直列に電気接続された複数の第２の一次導体ＰＷ２１、．．．、ＰＷ２Ｎを含む一次巻線手段２１を有している。
【００８７】
したがって、単一の磁気回路は、電気線路Ｌ１、．．．、ＬＮの第１の導体および第２の導体Ｃ１、Ｃ２の両方とつながれている。
【００８８】
第１の一次巻線導体および第２の一次巻線導体ＰＷ１１、．．．、ＰＷ１Ｎ、ＰＷ２１、．．．、ＰＷ２Ｎは、反対の極性で、対応する第１の線路導体および第２の線路導体Ｃ１、Ｃ２の電源部分Ｃ１Ｓ、Ｃ２Ｓおよび負荷部分Ｃ１Ｌ、Ｃ２Ｌに電気接続されている。
【００８９】
電流検知デバイス１は、第１の二次巻線導体ＳＷ１および第２の二次巻線導体ＳＷ２を含む二次巻線手段２２を有しており、二次巻線手段２２は共通の端子Ｓ２を有している。
【００９０】
二次巻線導体ＳＷ１、ＳＷ２の端子Ｓ１、Ｓ２、Ｓ３は、アーク故障検出器１０と電気接続されている。
【００９１】
図３には、アーク故障検出構成５０のさらに他の可能実施形態が示されている。
【００９２】
アーク故障検出構成５０は、単一の磁気回路２を有する電流検知デバイス１を備えている。
【００９３】
電流検知デバイス１は、第１の導体Ｃ１の電源部分および負荷部分Ｃ１Ｓ、Ｃ１Ｌと直列に電気接続された複数の第１の一次導体ＰＷ１１、．．．、ＰＷ１Ｎ、および第２の導体Ｃ２の電源部分および負荷部分Ｃ２Ｓ、Ｃ２Ｌと直列に電気接続された複数の第２の一次導体ＰＷ２１、．．．、ＰＷ２Ｎを含む一次巻線手段２１を有している。
【００９４】
したがって、単一の磁気回路は、電気線路Ｌ１、．．．、ＬＮの第１の導体および第２の導体Ｃ１、Ｃ２の両方とつながれている。
【００９５】
第１の一次巻線導体および第２の一次巻線導体ＰＷ１１、．．．、ＰＷ１Ｎ、ＰＷ２１、．．．、ＰＷ２Ｎは、図１〜２に示されている実施形態に対して逆転される反対の極性で、対応する第１の線路導体および第２の線路導体Ｃ１、Ｃ２の電源部分Ｃ１Ｓ、Ｃ２Ｓおよび負荷部分Ｃ１Ｌ、Ｃ２Ｌに電気接続されている。
【００９６】
電流検知デバイス１は、第１の二次巻線導体ＳＷ１および第２の二次巻線導体ＳＷ２を含む二次巻線手段２２を有しており、二次巻線手段２２は共通の端子Ｓ２を有している。
【００９７】
二次巻線導体ＳＷ１、ＳＷ２の端子Ｓ１、Ｓ２、Ｓ３は、アーク故障検出器１０と電気接続されている。
【００９８】
図４には、アーク故障検出構成５０のさらに他の可能実施形態が示されている。
【００９９】
この実施形態は、図２に示されている実施形態の変形形態であり、２本の電気線路Ｌ１、Ｌ２のみを有する電気母線１００のために設計されており、電気線路の各々は、第１の導体Ｃ１（例えばそれぞれの電気線路の供給導体を形成する）および第２の導体Ｃ２（例えばそれぞれの電気線路の戻り導体を形成する）を有している。
【０１００】
アーク故障検出構成５０は、単一の磁気回路２を有する電流検知デバイス１を備えている。
【０１０１】
電流検知デバイス１は、第１の導体Ｃ１の電源部分および負荷部分Ｃ１Ｓ、Ｃ１Ｌと直列に電気接続された２本の第１の一次導体ＰＷ１１、ＰＷ１２を含む一次巻線手段２１、および第２の導体Ｃ２の電源部分および負荷部分Ｃ２Ｓ、Ｃ２Ｌと直列に電気接続された２本の第２の一次導体ＰＷ２１、ＰＷ２２を有している。
【０１０２】
第１の一次巻線導体および第２の一次巻線導体ＰＷ１１、ＰＷ１２、ＰＷ２１、ＰＷ２２は、反対の極性で、対応する第１の線路導体および第２の線路導体Ｃ１、Ｃ２の電源部分Ｃ１Ｓ、Ｃ２Ｓおよび負荷部分Ｃ１Ｌ、Ｃ２Ｌに電気接続されている。
【０１０３】
電流検知デバイス１は、第１の二次巻線導体ＳＷ１および第２の二次巻線導体ＳＷ２を含む二次巻線手段２２を有しており、二次巻線手段２２は共通の端子Ｓ２を有している。
【０１０４】
二次巻線導体ＳＷ１、ＳＷ２の端子Ｓ１、Ｓ２、Ｓ３は、アーク故障検出器１０と電気接続されている。
【０１０５】
図７には、アーク故障検出構成５０のさらに他の可能実施形態が示されている。
【０１０６】
この実施形態は、図２に示されている実施形態のさらに他の変形形態であり、第１の導体Ｃ１（例えばそれぞれの電気線路の供給導体を形成する）および第２の導体Ｃ２（例えばそれぞれの電気線路の戻り導体を形成する）を有する単一の電気線路Ｌ１を有する電気母線１００のために設計されている。
【０１０７】
アーク故障検出構成５０は、単一の磁気回路２を有する電流検知デバイス１を備えている。
【０１０８】
電流検知デバイス１は、電気線路Ｌ１の第１の導体Ｃ１の電源部分および負荷部分Ｃ１Ｓ、Ｃ１Ｌと直列に電気接続された第１の一次導体ＰＷ１１、および電気線路Ｌ１の第２の導体Ｃ２の電源部分および負荷部分Ｃ２Ｓ、Ｃ２Ｌと直列に電気接続された第２の一次導体ＰＷ２１を含む一次巻線手段２１を有している。
【０１０９】
第１の一次巻線導体および第２の一次巻線導体ＰＷ１１、ＰＷ２１は、反対の極性で、対応する第１の線路導体および第２の線路導体Ｃ１、Ｃ２の電源部分Ｃ１Ｓ、Ｃ２Ｓおよび負荷部分Ｃ１Ｌ、Ｃ２Ｌに電気接続されている。
【０１１０】
電流検知デバイス１は、第１の二次巻線導体ＳＷ１および第２の二次巻線導体ＳＷ２を含む二次巻線手段２２を有しており、二次巻線手段２２は共通の端子Ｓ２を有している。
【０１１１】
二次巻線導体ＳＷ１、ＳＷ２の端子Ｓ１、Ｓ２、Ｓ３は、アーク故障検出器１０と電気接続されている。
【０１１２】
そのレイアウトが電気母線１００の構成に依存し得るアーク故障検出構成５０のさらに他の実施形態が可能であり、また、当業者の能力の範囲内であることは明らかである。
【０１１３】
本発明のいくつかの実施形態によれば、電流検知デバイス１は、例えばＰＣＢであってもよいサポート６０の上に取り付けることができるよう、有利に配置することができる。
【０１１４】
この解決法は、占有容積を実質的に大きくすることなく、電気装置５０の構成要素または部品との電流検知デバイス１の構造的統合を著しく容易にする。
【０１１５】
一例として、電気装置５００が光起電性発電装置５００である場合、電流検知デバイス１は、負荷セクション３００に含まれているインバータの主基板６０の上に取り付けることができる。
【０１１６】
本発明の可能実施形態によれば、電流検知デバイス１は、サポート６０（例えばＰＣＢ）に機械的に固定することができ、また、磁気回路２を形成するコアおよび電流検知デバイスの二次巻線手段２２が収納される容積を画定するように適合される外部エンクロージャ４を備えている。
【０１１７】
好ましくは、外部エンクロージャ４は、互いに機械的に結合可能である（例えばスナップばめ接続またはプレスばめ接続によって）第１の部分４１および第２の部分４２を備えている。
【０１１８】
コア２が環状である場合、外部エンクロージャ４は、環状コア２を通る対称軸がサポート６０の取付け表面６０Ａに対して直角になるようにサポートに固定することができる（コア２の水平取付け）。実際には、この取付け構造によれば、環状コア２は、サポート６０と平行の平面に沿って配向される。
【０１１９】
別法として、コア２が環状である場合、外部エンクロージャ４は、環状コア２を通る対称軸がサポート６０の取付け表面６０Ａに平行になるようにサポートに固定することができる（コア２の垂直取付け）。実際には、この取付け構造によれば、環状コア２は、サポート６０に対して直角の平面に沿って配向される。
【０１２０】
電流検知デバイス１は、電流検知デバイス１の第１の一次巻線導体を形成する、１つまたは複数の第１の導電性ブリッジＰＷ１１、ＰＷ１２を備えている。
【０１２１】
第１の剛性導電性ブリッジＰＷ１１、ＰＷ１２は、外部エンクロージャ４の外側に配置され、また、好ましくは第１の剛性導電性ブリッジＰＷ１１、ＰＷ１２の端部Ｔ１、Ｔ２でサポート６０と結合可能である。
【０１２２】
第１の導電性ブリッジＰＷ１１、ＰＷ１２は、それらがサポート６０と動作可能に結合されると（すなわち機械的に固定され、かつ、電気接続されると）、少なくとも部分的にコア２の周囲に巻き付けられるように形状化されている。
【０１２３】
実際には、第１の導電性ブリッジＰＷ１１、ＰＷ１２は、コアで少なくとも部分的につながれる導電性経路を形成し、したがって可能なＡＣ電流がＰＷ１１、ＰＷ１２に沿って流れ、コア２に沿って循環する磁束を生成するように配置される。
【０１２４】
コア２が環状構造を有している場合、図５〜６および８〜９に示されているように、第１の導電性ブリッジＰＷ１１、ＰＷ１２は実質的にＵ字形であり、また、第１の導電性ブリッジＰＷ１１、ＰＷ１２の端部Ｔ１、Ｔ２をサポート６０と結合可能であるようにコア２を通り抜けてサポート６０に向かって導かれる第１の脚部分および第２の脚部分をそれぞれ有している。
【０１２５】
好ましくは、第１の導電性ブリッジＰＷ１１、ＰＷ１２は構造的に剛性である。
【０１２６】
好ましくは、エンクロージャ４、とりわけその第２の部分４２は、第１の導電性ブリッジＰＷ１１、ＰＷ１２と取外し可能に結合されるように適合された第１の保持手段４６を備えている。
【０１２７】
好ましくは、第１の保持手段４６は、エンクロージャ４、とりわけその第２の部分４２の第１の変形可能突起を備えており、第１の変形可能突起は、第１の導電性ブリッジＰＷ１１、ＰＷ１２と嵌合するように形状化されており、とりわけ第１の導電性ブリッジＰＷ１１、ＰＷ１２の脚部分と嵌合し、かつ、スナップばめタイプまたはプレスばめタイプの機械的結合によって前記ブリッジと結合するように形状化されている。
【０１２８】
電流検知デバイス１は、電流検知デバイス１の第２の一次巻線導体を形成する、１つまたは複数の第２の導電性ブリッジＰＷ２１、ＰＷ２２をも備える。
【０１２９】
第２の導電性ブリッジＰＷ２１、ＰＷ２２は、外部エンクロージャ４の外側に配置され、また、好ましくは第２の導電性ブリッジＰＷ２１、ＰＷ２２の端部Ｔ３、Ｔ４でサポート６０と結合可能である。
【０１３０】
第２の導電性ブリッジＰＷ２１、ＰＷ２２は、それらがサポート６０と動作可能に結合されると（すなわち機械的に固定され、かつ、電気接続されると）、部分的にコア２の周囲に巻き付けられるように形状化されている。
【０１３１】
コア２が環状構造を有している場合、第２の導電性ブリッジＰＷ２１、ＰＷ２２は実質的にＵ字形であり、また、第２の導電性ブリッジＰＷ２１、ＰＷ２２の端部Ｔ３、Ｔ４をサポート６０と結合可能であるようにコア２を通り抜けてサポート６０に向かって導かれる第１の脚部分および第２の脚部分をそれぞれ有している。
【０１３２】
好ましくは、第２の導電性ブリッジＰＷ２１、ＰＷ２２は構造的に剛性である。
【０１３３】
好ましくは、エンクロージャ４、とりわけその第２の部分４２は、第２の導電性ブリッジＰＷ２１、ＰＷ２２と取外し可能に結合されるように適合された第２の保持手段４７を備えている。
【０１３４】
好ましくは、第２の保持手段４７は、エンクロージャ４、とりわけその第２の部分４２の第２の変形可能突起を備えており、第２の変形可能突起は、第２の導電性ブリッジＰＷ２１、ＰＷ２２と嵌合するように形状化されており、とりわけ第２の導電性ブリッジＰＷ２１、ＰＷ２２の脚部分と嵌合し、かつ、スナップばめタイプまたはプレスばめタイプの機械的結合によって前記ブリッジと結合するように形状化されている。
【０１３５】
図５〜６には、電流検知デバイス１の一例が示されている。
【０１３６】
この場合、電流検知デバイス１は、図４に示されている実施形態に従って構成されるアーク故障検出構成のために設計されている。
【０１３７】
電流検知デバイス１は、磁気回路２を形成する環状コアおよび電流検知デバイスの二次巻線手段２２を収納する外部エンクロージャ４を備えている。
【０１３８】
外部エンクロージャ４は、サポート６０に機械的に固定される第１の部分４１、および第１の部分４１と機械的に結合される第２の部分４２を備えている（コア２の水平取付け）。
【０１３９】
第１の部分４１は、二次巻線手段２２の二次巻線導体ＳＷ１、ＳＷ２の端子Ｓ１、Ｓ２、Ｓ３を収納する出力サブ部分４１０を備えている。
【０１４０】
電流検知デバイス１は、電流検知デバイス１の第１の一次巻線導体を形成する第１の剛性導電性ブリッジＰＷ１１、ＰＷ１２を備えている。
【０１４１】
第１の剛性導電性ブリッジＰＷ１１、ＰＷ１２は、外部エンクロージャ４の外側に配置される。
【０１４２】
第１の導電性ブリッジＰＷ１１、ＰＷ１２はＵ字形であり、また、端部Ｔ１、Ｔ２でサポート６０と結合されるようにコア２を通り抜けてサポート６０に向かって導かれるそれらの脚部分をそれぞれ有している。
【０１４３】
エンクロージャ４の第２の部分４２は、第１の導電性ブリッジＰＷ１１、ＰＷ１２の脚部分と取外し可能に結合された第１の変形可能突起４６を備えている。
【０１４４】
電流検知デバイス１は、電流検知デバイス１の第２の一次巻線導体を形成する第２の剛性導電性ブリッジＰＷ２１、ＰＷ２２をも備えている。
【０１４５】
第２の剛性導電性ブリッジＰＷ２１、ＰＷ２２は、外部エンクロージャ４の外側に互いに並列に、また、第１の剛性導電性ブリッジＰＷ１１、ＰＷ１２と並列に配置される。
【０１４６】
第２の導電性ブリッジＰＷ２１、ＰＷ２２はＵ字形であり、また、端部Ｔ３、Ｔ４でサポート６０と結合されるようにコア２を通り抜けてサポート６０に向かって導かれるそれらの脚部分をそれぞれ有している。
【０１４７】
エンクロージャ４の第２の部分４２は、第２の導電性ブリッジＰＷ２１、ＰＷ２２の脚部分と取外し可能に結合された第２の変形可能突起４７を備えている。
【０１４８】
図８〜９には、電流検知デバイス１のさらに他の例が示されている。
【０１４９】
この場合、電流検知デバイス１は、図７に示されている実施形態に従って構成されるアーク故障検出構成のために設計されている。
【０１５０】
電流検知デバイス１は、磁気回路２を形成する環状コアおよび電流検知デバイスの二次巻線手段２２を収納する外部エンクロージャ４を備えている。
【０１５１】
外部エンクロージャ４は、サポート６０に機械的に固定される第１の部分４１、および第１の部分４１と機械的に結合される第２の部分４２を備えている（コア２の水平取付け）。
【０１５２】
第１の部分４１は、二次巻線手段２２の二次巻線導体ＳＷ１、ＳＷ２の端子Ｓ１、Ｓ２、Ｓ３を収納する出力サブ部分４１０を備えている。
【０１５３】
電流検知デバイス１は、電流検知デバイス１の第１の一次巻線導体を形成する第１の剛性導電性ブリッジＰＷ１１を備えている。
【０１５４】
また、電流検知デバイス１は、電流検知デバイス１の第２の一次巻線導体を形成する第２の剛性導電性ブリッジＰＷ２１をも備えている。
【０１５５】
第１の導電性ブリッジおよび第２の導電性ブリッジＰＷ１１、ＰＷ２１は、外部エンクロージャ４の外側に配置される。
【０１５６】
第１の導電性ブリッジおよび第２の導電性ブリッジＰＷ１１、ＰＷ２１はＵ字形であり、また、端部Ｔ１、Ｔ２、Ｔ３、Ｔ４でサポート６０と結合されるようにコア２を通り抜けてサポート６０に向かって導かれるそれらの脚部分をそれぞれ有している。
【０１５７】
エンクロージャ４の第２の部分４２は、第１の導電性ブリッジＰＷ１１の脚部分と取外し可能に結合された第１の変形可能突起４６を備えている。
【０１５８】
電流検知デバイス１は、電流検知デバイス１の第２の一次巻線導体を形成する第２の剛性導電性ブリッジＰＷ２１、ＰＷ２２をも備えている。
【０１５９】
エンクロージャ４の第２の部分４２は、第２の導電性ブリッジＰＷ２１の脚部分と取外し可能に結合された第２の変形可能突起４７を備えている。
【０１６０】
本発明のさらに他の代替実施形態（図示せず）によれば、二次巻線手段２２は、外部エンクロージャ４の外側に配置された、１つまたは複数の対応するさらに他の剛性導電性ブリッジを含むことができる。
【０１６１】
本発明のさらに他の代替実施形態（図示せず）によれば、外部エンクロージャ４は、空中の容積を画定するように適合される。
【０１６２】
電流検知デバイスの二次巻線手段２２は、このような容積中に収納することができる。この場合、二次巻線手段２２は、空中に巻かれた回によって形成することができる。
【０１６３】
別法として、二次巻線手段２２は、外部エンクロージャ４の外側に配置された、１つまたは複数の対応するさらに他の剛性導電性ブリッジを含むことができる。
【０１６４】
本発明の可能実施形態によれば、電流検知デバイス１は、サポート６０（例えばＰＣＢ）上に堆積された導電性トラックによって形成された一次巻線導体を備えている。
【０１６５】
電流検知デバイス１は、電流検知デバイス１の第１の一次巻線導体を形成する１つまたは複数の第１の一次導電性トラックＰＷ１１、および電流検知デバイス１の第２の一次巻線導体を形成する１つまたは複数の第２の一次導電性トラックＰＷ２１を備えている。
【０１６６】
第１の一次導電性トラックおよび第２の一次導電性トラックＰＷ１１、ＰＷ２１は、知られているタイプの堆積技法を使用してサポート６０の上に有利に堆積される。
【０１６７】
電流検知デバイス１は第１の二次巻線導体ＳＷ１を備えており、また、場合によっては電流検知デバイスの第１の一次巻線導体および第２の一次巻線導体を形成する第１の一次導電性トラックおよび第２の一次導電性トラックと磁気結合可能であるように有利に配置される第２の二次巻線導体ＳＷ２を備えている。
【０１６８】
電流検知デバイス１は、電流検知デバイスの一次巻線手段および二次巻線手段２１、２２を少なくとも部分的に収納するための容積を画定する外部エンクロージャ（図示せず）を備えることができる。
【０１６９】
図１０には、電流検知デバイス１のさらに他の例が示されている。
【０１７０】
この場合、電流検知デバイス１は、図７に示されている実施形態に従って構成されるアーク故障検出構成のために設計されている。
【０１７１】
電流検知デバイス１は、空中で完全に実現される磁束経路によって形成される磁気回路２（空中のＲｏｇｏｗｓｋｉコイル）を備えている。
【０１７２】
電流検知デバイス１は、電流検知デバイス１の第１の一次巻線導体および第２の一次巻線導体を形成する第１の一次導電性トラックおよび第２の一次導電性トラックＰＷ１１、ＰＷ２１を備えている。
【０１７３】
電流検知デバイス１は、空中で巻かれた多数の回によって形成される第１の二次巻線導体および第２の二次巻線導体ＳＷ１、ＳＷ２をも備えている。
【０１７４】
第１の二次巻線導体および第２の二次巻線導体ＳＷ１、ＳＷ２は、磁気回路２を介して第１の一次導電性トラックおよび第２の一次導電性トラックＰＷ１１、ＰＷ２１と磁気結合可能であるよう、これらの第１の一次導電性トラックおよび第２の一次導電性トラックＰＷ１１、ＰＷ２１に隣接して配置されている。
【０１７５】
電流検知デバイス１は、サポート６０の上に堆積された、第１の二次巻線導体および第２の二次巻線導体ＳＷ１、ＳＷ２をそれぞれの端子Ｓ１、Ｓ２、Ｓ３と電気接続するための追加導電性トラック２２０を備えることができる。
【０１７６】
上記導電性トラックＰＷ１１、ＰＷ２１、２２０は、知られているタイプの堆積技法を使用してサポート６０の上に堆積させることができる。
【０１７７】
本発明によるアーク故障検出構成によれば、意図した目標および目的を達成することができる。
【０１７８】
本発明によるアーク故障検出構成によれば、同相モード攪乱の高い減衰レベルを得ることができる。これにより、アーク故障検出における高いレベルの信頼性を得ることができ、延いては誤動作に対する高いレベルの免疫性を得ることができる。
【０１７９】
本発明によるアーク故障検出構成は、とりわけ単純な構造を有している。
【０１８０】
具体的には、本発明によるアーク故障検出構成は、高度に自動化された操作を使用して産業レベルで製造することができ、また、ＰＣＢサポート上に容易に取り付けることができる丈夫でコンパクトな構造を有する電流検知デバイスを備えている。
【０１８１】
電流検知デバイスのＰＣＢ取付け可能な構築により、ケーブル布線操作を回避することができ、また、設置誤りを著しく低減することができる。
【０１８２】
さらに、最新技術の知られている解決法とは異なり、本発明によるアーク故障検出構成は、ＤＣ電気母線のすべての電気線路に対して単一のアーク故障検出器を採用している。
【０１８３】
したがって本発明によるアーク故障検出構成は、最新技術の知られている解決法に対して、サイズ縮小およびコスト低減の点で、関連する利点を提供する。
【０１８４】
本発明によるアーク故障検出構成は現場に容易に設置することができ、また、本発明によるアーク故障検出構成は、アーク故障検出構成が専用化される電気装置の他の部品または構成要素と容易に統合することができる。これにより、最新技術の知られている解決法に対して、製造コストおよび設置コストのさらなる低減を得ることができる。
【符号の説明】
【０１８５】
１  電流検知デバイス
２  磁気回路、コア、環状コア
４  外部エンクロージャ
１０  アーク故障検出器
２１  一次巻線手段
２２  二次巻線手段
４１  エンクロージャの第１の部分
４２  エンクロージャの第２の部分
４６  第１の保持手段、第１の変形可能突起
４７  第２の保持手段、第２の変形可能突起
５０  アーク故障検出構成
６０  サポート、主基板
６０Ａ  サポート６０の取付け表面
１００  ＤＣ電気母線
２００  電源セクション
２２０  追加導電性トラック
３００  負荷セクション
４１０  出力サブ部分
５００  低電圧電気装置、光起電性発電装置
【図１】
2018061419.tif 000003
【図２】
2018061419.tif 000004
【図３】
2018061419.tif 000005
【図４】
2018061419.tif 000006
【図５】
2018061419.tif 000007
【図６】
2018061419.tif 000008
【図７】
2018061419.tif 000009
【図８】
2018061419.tif 000010
【図９】
2018061419.tif 000011
【図１０】
2018061419.tif 000012
【外国語明細書】
2018061419000001.pdf
2018061419000002.pdf
2018061419000003.pdf
2018061419000004.pdf